(57)【要約】  冷凍サイクル装置を制御し、冷凍サイクル装置の消費電力データを受け付ける複数の集中コントローラと、少なくとも消費電力データを用いて按分計算を実施し、複数の集中コントローラを管理する集中管理装置とを備え、集中管理装置は、消費電力データ及び按分計算の結果を格納する第１のデータ部と、各集中コントローラから出力されるデータを格納する第２のデータ部とを有し、集中コントローラは、冷凍サイクル装置の運転データを格納する第３のデータ部と、集中管理装置から出力される第１のデータ部のデータを格納する第４のデータ部とを有するものである。  上記構成により、データの消失により利便性が損なわれることを回避することできる。
2016046986.tif 000002
【特許請求の範囲】
【請求項１】
冷凍サイクル装置を制御し、前記冷凍サイクル装置の消費電力データを受け付ける複数の集中コントローラと、  少なくとも前記消費電力データを用いて按分計算を実施し、複数の前記集中コントローラを管理する集中管理装置とを備え、  前記集中管理装置は、  前記消費電力データ及び前記按分計算の結果を格納する第１のデータ部と、  各集中コントローラから出力されるデータを格納する第２のデータ部とを有し、  前記集中コントローラは、  前記冷凍サイクル装置の運転データを格納する第３のデータ部と、  前記集中管理装置から出力される前記第１のデータ部のデータを格納する第４のデータ部とを有する  空気調和システム。
【請求項２】
前記集中管理装置及び各集中コントローラは、  前記第３のデータ部に格納されたデータを前記第２のデータ部に出力し、前記第１のデータ部に格納されたデータを前記第４のデータ部に出力し、データの二重化をするように構成されている  請求項１に記載の空気調和システム。
【請求項３】
前記集中管理装置は、  前記冷凍サイクル装置を制御するのに利用される専用通信部を有し、  前記二重化を実施しているとき及び前記按分計算を実施しているときには、前記専用通信部を通じた通信が無効となるように構成されている  請求項２に記載の空気調和システム。
【請求項４】
前記集中管理装置及び前記集中コントローラに通信自在に接続された外部操作端末をさらに備え、  前記集中管理装置及び各集中コントローラは、  前記外部操作端末の有するデータによって、前記集中管理装置及び各集中コントローラのうちの少なくとも一方のデータが変更されたときは、前記二重化を実施する  請求項２又は３に記載の空気調和システム。
【請求項５】
前記集中管理装置は、  前記第１のデータ部に格納され、前記集中管理装置と前記集中コントローラとが対応するか否かの識別に利用される第１の識別番号データを有し、  各集中コントローラは、  前記第３のデータ部に格納され、前記第１の識別番号データと比較される第２の識別番号データを有する  請求項１〜４のいずれか一項に記載の空気調和システム。
【請求項６】
前記集中管理装置は、  前記第２の識別番号データが前記第１の識別番号データとは異なる前記集中コントローラに、前記第１のデータ部に格納されたデータ及び前記第２のデータ部に格納されたデータのうち前記集中コントローラに対応するデータを出力し、データの復元をするように構成されている  請求項５に記載の空気調和システム。
【請求項７】
前記集中コントローラは  前記第１の識別番号データが前記第２の識別番号データとは異なる場合に、前記集中管理装置に、前記第３のデータ部に格納されたデータ及び前記第４のデータ部に格納されたデータを出力し、データの復元をするように構成されている  請求項５又は６に記載の空気調和システム。
【請求項８】
前記集中管理装置又は各集中コントローラを交換することで前記第１の識別番号データと前記第２の識別番号データとが異なる場合に、前記データの復元が実施されるように構成されている  請求項６又は７に記載の空気調和システム。
【請求項９】
前記集中管理装置は、  前記第１の識別番号データと各集中コントローラの前記第２の識別番号データとが一致するときに前記按分計算を実施するように構成されている  請求項５〜８のいずれか一項に記載の空気調和システム。
【請求項１０】
前記集中管理装置及び各集中コントローラは、  前記第１のデータ部及び前記第３のデータ部に格納されるデータが修正されたときにフラグを立て、  前記第１のデータ部及び前記第３のデータ部に格納されたデータのうち前記フラグを立てたデータを二重化するように構成されている  請求項１〜９のいずれか一項に記載の空気調和システム。
【発明の詳細な説明】
【技術分野】
【０００１】  本発明は、空気調和システムに関するものである。
【背景技術】
【０００２】  空気調和システムには、複数の空調機器などを制御する集中コントローラを複数有するとともに、その複数の集中コントローラを統括する集中管理装置を有するものが提案されている（たとえば、特許文献１参照）。特許文献１に記載の空気調和システムにおいて、集中コントローラは、収集した空調機器のデータ（運転データ）を格納する記憶部を有し、収集回数が予め設定された回数に達するとその運転データを集中管理装置側に出力する。
【先行技術文献】
【特許文献】
【０００３】
【特許文献１】特開２００４−２０１３０号公報（たとえば、段落００３４、００３５、図２及び図１２）
【発明の概要】
【発明が解決しようとする課題】
【０００４】  特許文献１に記載の空気調和システムでは、集中コントローラ側で収集した運転データが集中管理装置側に出力されることから、集中コントローラ側のデータをバックアップすることができる。しかし、親機である集中管理装置側のデータを子機である集中コントローラ側でバックアップするものではなく、親機が故障などすると親機側が有していたデータが消失してしまう場合がある。すなわち、特許文献１に記載の空気調和システムでは、集中管理装置の有するデータが消失し、それを復元することができない場合がある。【０００５】  たとえば、ビル用マルチエアコンでは、空調機器を使用するユーザーがフロアごとに異なる場合がある。この場合には、ユーザーごとに課金をするために、親機に蓄積されたデータが用いられる。しかし、親機でデータが消失した場合に、それが復元できないと、ユーザーに課金することができなくなり、利便性が損なわれることになる。【０００６】  本発明は、以上のような課題を解決するためになされたもので、データの消失により利便性が損なわれることを回避することができる空気調和システムを提供することを目的としている。
【課題を解決するための手段】
【０００７】  本発明に係る空気調和システムは、冷凍サイクル装置を制御し、冷凍サイクル装置の消費電力データを受け付ける複数の集中コントローラと、少なくとも消費電力データを用いて按分計算を実施し、複数の集中コントローラを管理する集中管理装置とを備え、集中管理装置は、消費電力データ及び按分計算の結果を格納する第１のデータ部と、各集中コントローラから出力されるデータを格納する第２のデータ部とを有し、集中コントローラは、冷凍サイクル装置の運転データを格納する第３のデータ部と、集中管理装置から出力される第１のデータ部のデータを格納する第４のデータ部とを有するものである。
【発明の効果】
【０００８】  本発明に係る空気調和システムによれば、上記構成を有しているため、データの消失により利便性が損なわれることを回避することができる。
【図面の簡単な説明】
【０００９】
【図１】本発明の実施の形態に係る空気調和システム１００の概要構成例図である。
【図２Ａ】第１の制御部４の構成例を説明するブロック図である。
【図２Ｂ】第２の制御部２４の構成例を説明するブロック図である。
【図３Ａ】本実施の形態に係る空気調和システム１００において、集中管理装置１と集中コントローラ２０とでデータの二重化をするときの動作の流れの一例を説明するフローチャートである。
【図３Ｂ】集中コントローラ２０側から集中管理装置１側へデータが出力され、按分計算部１０で按分計算が実施される様子を説明する図である。
【図３Ｃ】按分計算の結果が第１のデータ部９及び第２のデータ部８に格納され、その後集中管理装置１側から集中コントローラ２０側へデータが出力される様子を説明する図である。
【図４Ａ】空気調和システム１００の集中コントローラ３１を交換したときに、新たに設置する集中コントローラ３１に対してデータの復元をする様子を説明する模式図である。
【図４Ｂ】集中管理装置１側から集中コントローラ３１側へデータを出力して、データの復元をするフローチャートの一例である。
【図４Ｃ】集中コントローラ２０又は集中コントローラ３１側から集中管理装置１側へデータを出力して、データの復元をするフローチャートの一例である。
【図５】第２の制御部２４０がフラグ設定手段及びフラグ判定手段２４Ｃ１を有する態様についての説明図である。
【発明を実施するための形態】
【００１０】  以下、本発明に係る空気調和システムの実施の形態について、図面を参照しながら説明する。なお、以下に説明する実施の形態によって本発明が限定されるものではない。また、図１を含め、以下の図面では各構成部材の大きさの関係が実際のものとは異なる場合がある。
【００１１】実施の形態．  図１は、本実施の形態に係る空気調和システム１００の概要構成例図である。図２Ａは、第１の制御部４の構成例を説明するブロック図である。図２Ｂは、第２の制御部２４の構成例を説明するブロック図である。図１、図２Ａ及び図２Ｂを参照して空気調和システム１００の構成などについて説明する。
【００１２】［構成説明］  空気調和システム１００は、冷凍サイクル装置５０を制御する集中コントローラ２０及び冷凍サイクル装置６０を制御する集中コントローラ３１と、集中コントローラ２０及び集中コントローラ３１を統括制御する集中管理装置１とを有しているものである。なお、各図では、集中管理装置１は親機として、集中コントローラ２０及び集中コントローラ３１は子機として表記されている。
【００１３】  なお、冷凍サイクル装置５０及び冷凍サイクル装置６０は、たとえば、空気調和装置、冷蔵庫などの冷凍装置などに対応するものである。本実施の形態では、一例として冷凍サイクル装置５０及び冷凍サイクル装置６０が、空気調和装置である場合を説明する。冷凍サイクル装置５０は、図示省略の圧縮機、絞り装置、室外熱交換器及び室外ファンなどが搭載された室外機５１Ａ及び室外機５１Ｂと、図示省略の室内熱交換器及び室内ファンなどが搭載された室内機５２Ａ及び室内機５２Ｂとを有している。冷凍サイクル装置６０も、冷凍サイクル装置５０と同様に、室外機６１Ａ及び室外機６１Ｂと、室内機６２Ａ及び室内機６２Ｂとを有している。ここで、室外機５１Ａと室内機５２Ａとが冷媒配管で接続され、室外機５１Ｂと室内機５２Ｂとが冷媒配管で接続され、室外機６１Ａと室内機６２Ａとが冷媒配管で接続され、室外機６１Ｂと室内機６２Ｂとが冷媒配管で接続され、それぞれが独立した冷媒回路を構成している。
【００１４】  室外機５１Ａ、室外機５１Ｂ、室外機６１Ａ及び室外機６１Ｂには、それぞれの消費電力を計測するのに利用される消費電力計測計７０Ａ、消費電力計測計７０Ｂ、消費電力計測計７１Ａ、及び消費電力計測計７１Ｂが取り付けられている。消費電力計測計７０Ａ、消費電力計測計７０Ｂ、消費電力計測計７１Ａ、及び消費電力計測計７１Ｂのデータは、後述する集中管理装置１の電力量取得部１１に出力される。このように、空気調和システム１００では、集中管理装置１側で１または複数の室外機（室外機５１Ａ、室外機５１Ｂ、室外機６１Ａ及び室外機６１Ｂ）ごとの消費電力を取得するとともに、集中コントローラ２０及び集中コントローラ３１側で収集された冷凍サイクル装置５０及び冷凍サイクル装置６０の運転データを取得することで、予め設定された按分計算を実施する。これにより、各室内機ごとの消費電力を算出することができる。たとえば、空気調和システム１００が、ビル用マルチエアコンである場合において建物の各階ごとにユーザーが異なるときに、各階の室内機を利用するユーザーごとに消費電力に応じた額の課金をすることができる。
【００１５】（集中管理装置１）  集中管理装置１は、２台の集中コントローラ２０及び集中コントローラ３１と、各種データのやりとりをする外部操作端末８０とに通信自在に接続されているものである。集中管理装置１は、子機である集中コントローラ２０及び集中コントローラ３１を統括制御するものであり、これらの親機に対応する構成である。
【００１６】  集中管理装置１は、冷凍サイクル装置６０と通信してこれらを制御するのに利用される第１の専用通信部２と、集中コントローラ２０及び集中コントローラ３１などと通信するのに利用される第１のＬＡＮ通信部３とを有しているものである。  また、集中管理装置１は、各種構成を制御する第１の制御部４と、ユーザー及び管理人などに操作される第１の操作部５と、ユーザー及び管理人などのために予め設定された情報などを表示する第１の表示部６と、集中コントローラ２０及び集中コントローラ２０との間でデータを出力をするときに同期をするのに利用される第１のデータ同期部７とを有している。
【００１７】  また、集中管理装置１は、自身に設定される識別番号に対応する識別番号データ（第１の識別番号データ）などのデータを格納する第１のデータ部９と、子機である集中コントローラ２０及び集中コントローラ３１に設定される識別番号に対応する識別番号データ（第２の識別番号データ）などのデータを格納する第２のデータ部８とを有している。集中管理装置１は、自身に直接出力されるデータなどだけでなく、集中コントローラ２０が収集したデータ及び集中コントローラ３１が収集したデータも有しており、バックアップしている。
【００１８】  さらに、集中管理装置１は、冷凍サイクル装置５０の室外機６１Ａなどの消費電力のデータを取得する電力量取得部１１と、たとえば電力量取得部１１の消費電力データと第２のデータ部８に格納されている集中コントローラ２０及び集中コントローラ３１の運転データとに基づいて按分計算を実施する按分計算部１０とを有している。
【００１９】  第１の専用通信部２は、集中管理装置１側から冷凍サイクル装置６０を制御することができるように設けられているものである。第１の専用通信部２は、集中管理装置１には冷凍サイクル装置５０との間で通信をするのに利用される通信回路などを有する。第１のＬＡＮ通信部３は、集中管理装置１が集中コントローラ２０、集中コントローラ３１及び外部操作端末８０との間で通信をするのに利用される通信回路などを有する。さらに、集中管理装置１側から冷凍サイクル装置５０及び冷凍サイクル装置６０を間接的に制御することができる。たとえば、空気調和システム１００では、集中コントローラ２０によって冷凍サイクル装置５０が制御されるが、それだけでなく、集中管理装置１側からも冷凍サイクル装置５０を制御することができるようなっている。
【００２０】  第１の制御部４は、各種構成に所定の指令をしたり、各種演算を実施したりするものである。第１の制御部４は、第１の専用通信部２、第１のＬＡＮ通信部３、第１の操作部５、第１の表示部６、第１のデータ同期部７及び按分計算部１０などとデータのやり取りをするものである。第１の制御部４は、第１の専用通信部２を制御する第１の専用通信部制御手段４Ａと、第１のＬＡＮ通信部３を制御する第１のＬＡＮ通信部制御手段４Ｂと、第１のデータ同期部７を制御する第１のデータ同期部制御手段４Ｃと、識別番号についての判定を行う第１の識別番号判定手段４Ｄと、第１の表示部６を制御する第１の表示部制御手段４Ｅと、按分計算部１０を制御する按分計算部制御手段４Ｆとを有している。第１の専用通信部制御手段４Ａ、第１のＬＡＮ通信部制御手段４Ｂ、第１のデータ同期部制御手段４Ｃ、第１の識別番号判定手段４Ｄ、第１の表示部制御手段４Ｅ及び按分計算部制御手段４Ｆは、たとえば、各種の回路で構成することができる。
【００２１】  第１の操作部５は、たとえば、ユーザー及び管理人などによって操作されるボタン、タッチパネルなどに対応する構成を有するものである。ユーザー及び管理人が、第１の操作部５を操作することで、冷凍サイクル装置５０などの運転、停止を実施したり、集中管理装置１と集中コントローラ２０及び集中コントローラ３１との間の通信を実施してデータの同期（二重化）をしたりすることができる。
【００２２】  第１の表示部６は、たとえば、液晶などの表示画面に対応するものである。たとえば、冷凍サイクル装置５０などの運転状況、集中管理装置１と集中コントローラ２０及び集中コントローラ３１との間の通信の状況などが表示される。
【００２３】  第１のデータ同期部７は、送信側と受信側とでクロック信号を使って転送速度を同期させ、集中コントローラ２０及び集中コントローラ３１側との間でデータのやりとりをするのに利用されるものである。ここで、集中管理装置１と集中コントローラ２０及び集中コントローラ３１とのうちの一方が送信側、他方が受信側である。たとえば、第１のデータ同期部７は、クロック信号を使って転送速度を同期させ、後述する第２のデータ同期部２７側にデータを連続的に出力することができる。第１のデータ同期部７は、たとえば、同期回路などで構成することができる。
【００２４】  第１のデータ部９は、消費電力データ及び按分計算の結果などを格納するものである。より詳細には、第１のデータ部９は、（１）親機である集中管理装置１に設定される第１の識別番号に対応する第１の識別番号データ、（２）按分計算部１０が実施する按分計算の結果に対応するデータ、（３）室外機５１Ａ、室外機５１Ｂ、室外機６１Ａ及び室外機６１Ｂの消費電力に対応する消費電力データなどを格納するものである。  また、第１のデータ部９に格納されたデータは、子機である集中コントローラ２０及び集中コントローラ３１の有する第４のデータ部２９にて格納され、親機側のデータのバックアップがなされる。
【００２５】  第２のデータ部８は、各集中コントローラ（集中コントローラ２０及び集中コントローラ３１）から出力される運転データなどを格納するものである。すなわち、第２のデータ部８は、集中コントローラ２０で収集された運転データ及び集中コントローラ３１側で収集された運転データなどが格納され、子機側のデータのバックアップをしている。ここでいう子機側の運転データとは、各集中コントローラ（集中コントローラ２０及び集中コントローラ３１）の有する識別番号データ（第２の識別番号データ）、按分計算部１０で実施される按分計算の結果のデータ、按分計算に利用される冷媒流量データなどである。
【００２６】  このバックアップしている運転データは、たとえば、集中コントローラ２０及び集中コントローラ３１のいずれかが故障などして交換がなされた場合に、新たに設置された集中コントローラに出力される。また、このバックアップしているデータは、たとえば、集中コントローラ２０及び集中コントローラ３１が記憶していたデータが消失した場合に、集中コントローラ２０及び集中コントローラ３１に出力される。このように、第２のデータ部８は、子機側のデータのバックアップとしての機能を有している。
【００２７】  また、第２のデータ部８は、このようなバックアップとしての機能だけでなく、按分計算部１０で実施される按分計算に利用されるデータを格納する機能を有している。すなわち、按分計算は、室外機５１Ａ、室外機５１Ｂ、室外機６１Ａ及び室外機６１Ｂごとの消費電力を計算するものであるので、室外機５１Ａ、室外機５１Ｂ、室外機６１Ａ及び室外機６１Ｂごとの運転データが必要となるからである。
【００２８】  第１のデータ部９及び第２のデータ部８は、たとえば、ハードディスクといった記憶媒体などで構成することもできるし、フラッシュメモリといった記憶媒体などで構成することもできる。
【００２９】  電力量取得部１１は、消費電力計測計７０Ａ、消費電力計測計７０Ｂ、消費電力計測計７１Ａ、及び消費電力計測計７１Ｂに接続されており、室外機５１Ａ、室外機５１Ｂ、室外機６１Ａ及び室外機６１Ｂの消費電力を取得するものである。電力量取得部１１は、取得した消費電力データを第１のデータ部９に格納する。なお、本実施の形態では、消費電力計測計７０Ａなどのデータが電力量取得部１１に出力される態様について説明したが、それに限定されるものではない。たとえば、電力量取得部１１を有さないでもよい。この場合には、管理者などが消費電力計測計７０Ａなどの消費電力値を読み、第１の操作部５でその消費電力値を入力するようにしてもよい。
【００３０】  按分計算部１０は、第１のデータ部９に格納されている運転データ（消費電力データ）と、第２のデータ部８に格納され、冷凍サイクル装置５０及び冷凍サイクル装置６０に係る運転データとに基づいて、予め設定された按分計算を実施する。ここで、按分計算の一例について説明する。ここでは、室外機５１Ａが動作しているときの消費電力に対しての按分計算、すなわち待機電力を除いた消費電力についての按分計算について説明する。
【００３１】  集中コントローラ２０では、単位時間あたりに室外機５１Ａに流れた冷媒流量及び単位時間あたりに室内機５２Ａに流れた冷媒流量のデータを有している。単位時間あたりの冷媒流量のデータは、たとえば、冷媒回路に冷媒流量計を設置して算出するなど、種々の手段を採用することができる。ここでは、一方の室内機５２Ａの冷媒流量データが２２（単位なし）であり、他方の室内機５２Ａの冷媒流量データが２５である場合を一例に説明する。また、集中コントローラ２０には、２台の室内機５２Ａのそれぞれの能力が設定されている。たとえば、一方の室内機５２Ａの能力が５ｋＷであり、他方の室内機５２Ａの能力が２ｋＷであるとする。集中コントローラ２０の第３のデータ部２８には、上述した冷媒流量のデータ及び室内機５２Ａのそれぞれの能力のデータが格納されている。そして、冷媒流量のデータ及び室内機５２Ａのそれぞれの能力のデータは、第２のデータ部８に出力されて格納される。
【００３２】  按分計算部１０は、冷媒流量のデータと室内機５２Ａの能力とを乗算して、一方及び他方の按分係数を算出する。一方の室内機５２Ａの按分係数は、２２×５＝１１０である。また、他方の室内機５２Ａの按分係数は、２５×２＝５０である。
【００３３】  一方、集中管理装置１の第１のデータ部９には、電力量取得部１１によって取得した消費電力量データが格納されている。ここで、消費電力量の数値が１０００Ｗｈであり、待機電力量が３５Ｗｈであるとする。なお、待機電力量については、按分計算部１０が予め算出しているものとする。したがって、室外機５１Ａが動作しているときの消費電力量は、１０００−３５＝９６５Ｗｈである。
【００３４】  按分計算部１０は、この待機電力量を除く消費電力量に各按分係数を乗算し、按分係数の合計値で除算することで、一方及び他方の室内機５２Ａごとの消費電力量を計算することができる。一方の室内機５２Ａについては、９６５×１１０÷１６０＝６６３.４Ｗｈとなり、他方の室内機５２Ａについては、９６５×５０÷１６０＝３０１.５Ｗｈとなる。こうして、管理者は、この按分計算部１０が算出した一方及び他方の室内機５２Ａの消費電力に基づいて、一方の室内機５２Ａを使用するユーザーと他方の室内機５２Ａを使用するユーザーとのそれぞれに使用料金を請求することができる。
【００３５】（集中コントローラ２０及び集中コントローラ３１）  集中コントローラ２０は、冷凍サイクル装置５０と通信してこれらを制御するのに利用される第２の専用通信部２１と、集中管理装置１などと通信するのに利用される第２のＬＡＮ通信部２３とを有しているものである。  集中コントローラ２０は、各種構成を制御する第２の制御部２４と、ユーザー及び管理人などに操作される第２の操作部２５と、ユーザー及び管理人などのために予め設定された情報などを表示する第２の表示部２６と、集中管理装置１との間でデータ出力をするときに同期をするのに利用される第２のデータ同期部２７とを有している。
【００３６】  集中コントローラ２０は、自身に設定される識別番号に対応する識別番号データ（第２の識別番号データ）などのデータを格納する第３のデータ部２８と、親機である集中管理装置１に設定される識別番号に対応する識別番号データなどのデータ及び集中管理装置１が実施した按分計算の結果（データ）などを格納する第４のデータ部２９とを有している。集中コントローラ２０は、自身に直接出力されるデータなどだけでなく、親機である集中管理装置１の有するデータも有しており、バックアップしている。
【００３７】  第２の専用通信部２１及び第２のＬＡＮ通信部２３は、第１の専用通信部２及び第１のＬＡＮ通信部３に対応する構成を有しているものである。すなわち、第２の専用通信部２２は、冷凍サイクル装置５０を制御することができるように設けられているものである。第２の専用通信部２１は、通信回路などを有する。第２のＬＡＮ通信部２３は、集中コントローラ２０が集中管理装置１及び外部操作端末８０との間で通信をするのに利用される通信回路などを有する。
【００３８】  第２の制御部２４は、第１の制御部４と同様に、各種構成に所定の指令をしたり、各種演算を実施したりするものである。第２の制御部２４は、第２の専用通信部２１、第２のＬＡＮ通信部２３、第２の操作部２５、第２の表示部２６、及び第２のデータ同期部２７などとデータのやり取りをするものである。第２の制御部２４は、第２の専用通信部２１を制御する第２の通信部制御手段２４Ａと、第２のＬＡＮ通信部２３を制御する第２のＬＡＮ通信部制御手段２４Ｂと、第２のデータ同期部２７を制御する第２のデータ同期部制御手段２４Ｃと、識別番号についての判定を行う第２の識別番号判定手段２４Ｄと、第２の表示部２６を制御する第２の表示部制御手段２４Ｅとを有している。第２の通信部制御手段２４Ａ、第２のＬＡＮ通信部制御手段２４Ｂ、第２のデータ同期部制御手段２４Ｃ、第２の識別番号判定手段２４Ｄ及び第２の表示部制御手段２４Ｅは、たとえば、各種の回路で構成することができる。
【００３９】  第２の操作部２５、第２の表示部２６、及び第２のデータ同期部２７は、第１の操作部５、第１の表示部６、及び第１のデータ同期部７に対応する構成を有しているものである。すなわち、第２の操作部２５は、たとえば、ユーザー及び管理人などによって操作されるボタン、タッチパネルなどに対応する構成を有するものである。また、第２の表示部２６は、たとえば、液晶などの表示画面に対応する構成を有するものである。さらに、第２のデータ同期部２７は、たとえば、クロック信号を使って転送速度を同期させ、後述する第２のデータ同期部２７側にデータを連続的に転送する同期回路をなどで構成されるものである。
【００４０】  第３のデータ部２８は、冷凍サイクル装置５０に係る運転データを格納するものである。より詳細には、第３のデータ部２８は、（１）子機である集中コントローラ２０に設定される第２の識別番号に対応する第２の識別番号データ、（２）按分計算部１０が実施する按分計算の結果に対応するデータ、（３）室内機５２Ａ及び室内機５２Ｂの冷媒流量のデータなどを格納するものである。
【００４１】  第４のデータ部２９は、集中管理装置１の第４のデータ部２９に格納される運転データなどを格納するものである。すなわち、第４のデータ部２９は、集中管理装置１の識別番号データなどの運転データが格納され、親機側のデータのバックアップをしている。ここでいう親機側の運転データとは、集中管理装置１の有する識別番号データ（第１の識別番号データ）、按分計算部１０で実施される按分計算の結果のデータ、按分計算に利用される消費電力データなどである。
【００４２】  このバックアップしている運転データは、たとえば、集中管理装置１が故障などして交換がなされた場合に、新たに設置された集中管理装置１に出力される。また、このバックアップしているデータは、たとえば、集中管理装置１が記憶していたデータが消失した場合に、集中管理装置１に出力される。このように、第４のデータ部２９は、親機側のデータのバックアップとしての機能を有している。
【００４３】  上述のように、集中管理装置１及び各集中コントローラ（集中コントローラ２０及び集中コントローラ３１）は、第３のデータ部２８に格納された運転データを第２のデータ部８に出力し、第１のデータ部９に格納された按分計算結果などの運転データを第４のデータ部２９に出力し、データの二重化をするように構成されている。
【００４４】  なお、説明は省略するが、集中コントローラ３１も、集中コントローラ２０と同様の構成を有する。すなわち、集中コントローラ３１は、第２の専用通信部２１、第２のＬＡＮ通信部２３、第２の制御部２４、第２の操作部２５、第２の表示部２６、第２のデータ同期部２７、第３のデータ部２８及び第４のデータ部２９を有する。集中コントローラ３１は、図示は省略しているが、第２の専用通信部２１が、冷凍サイクル装置５０及び冷凍サイクル装置６０とは異なる冷凍サイクル装置に接続されており、その冷凍サイクル装置を制御することができるようになっている。
【００４５】［データの二重化及び按分計算について］  図３Ａは、本実施の形態に係る空気調和システム１００において、集中管理装置１と集中コントローラ２０とでデータの二重化をするときの動作の流れの一例を説明するフローチャートである。図３Ｂは、集中コントローラ２０側から集中管理装置１側へデータが出力され、按分計算部１０で按分計算が実施される様子を説明する図である。図３Ｃは、按分計算の結果が第１のデータ部９及び第２のデータ部８に格納され、その後集中管理装置１側から集中コントローラ２０側へデータが出力される様子を説明する図である。なお、説明の便宜上のため、図３Ａ〜図３Ｃでは、集中コントローラ３１については集中管理装置１とデータのやり取りをせず、集中コントローラ２０のみが集中管理装置１とデータのやりとりをしている様子を示している。
【００４６】  図３Ａ及ぶ図３Ｂに示すように、第２のデータ同期部２７は第３のデータ部２８に格納されている運転データを、第１のデータ同期部７に転送（出力）する。このデータは、第２のＬＡＮ通信部２３及び第１のＬＡＮ通信部３を介して第１のデータ同期部７に出力される（ステップＳ１）。第２のデータ部８には、第１のデータ同期部７に出力されたデータが格納される（ステップＳ２）。
【００４７】  電力量取得部１１は、室外機５１Ａなどの消費電力データを取得する（ステップＳ３）。第１のデータ部９には、電力量取得部１１から出力された消費電力データが格納される（ステップＳ４）。
【００４８】  按分計算部１０は、第１のデータ部９の消費電力データと第２のデータ部８の運転データ（冷媒流量データ）とに基づいて按分計算を実施する（ステップＳ５）。
【００４９】  図３Ａ及び図３Ｃに示すように、按分計算部１０は、按分計算の結果のデータを第１のデータ部９及び第２のデータ部８に格納する（ステップＳ６）。第１のデータ同期部７は、第２のデータ部８に格納されている運転データを、第２のデータ同期部２７に転送（出力）する。このデータは、第１のＬＡＮ通信部３及び第２のＬＡＮ通信部２３を介して第２のデータ同期部２７に出力される（ステップＳ７）。第４のデータ部２９には、第２のデータ同期部２７に出力されたデータが格納される（ステップＳ８）。空気調和システム１００は、ステップＳ１、Ｓ２、Ｓ６〜Ｓ８の動作によりデータの二重化（同期）を実施し、また、ステップＳ５で按分計算を実施している。
【００５０】［データの復元について］  図４Ａは、空気調和システム１００の集中コントローラ３１を交換したときに、新たに設置する集中コントローラ３１に対してデータの復元をする様子を説明する模式図である。図４Ａ及び前述した図１及び図２を参照して、データ復元の手段について説明する。図４Ａに示すように、集中コントローラ３１が故障などして、新しいものに交換している。
【００５１】  集中管理装置１は、第１のデータ部９に格納され、集中管理装置１と集中コントローラ２０及び集中コントローラ３１とが対応するか否かを識別するのに利用される第１の識別番号データを有している。第１の識別番号データは、集中管理装置１の識別番号（００１）、集中コントローラ２０の識別番号（００２）及び集中コントローラ３１の識別番号（００３）を有している。  また、各集中コントローラは、第３のデータ部２８に格納され、第１の識別番号データと比較される第２の識別番号データを有している。第２の識別番号データは、各集中コントローラの識別番号及び親機である集中管理装置１の識別番号を有している。ここで、新しい集中コントローラ３１には、識別番号がない（たとえば、識別番号０００など）。
【００５２】  集中管理装置１は、第２の識別番号データが第１の識別番号データとは異なる集中コントローラ３１に、第１のデータ部９に格納された按分計算の結果及び第２のデータ部８に格納された運転データのうち集中コントローラ３１に対応するデータを出力し、データの復元をするように構成されている。つまり、集中コントローラ３１の第２の識別番号データは、親機の識別番号を有しないため、新しく交換したと判断できる。このため、集中管理装置１は、第１のデータ部９に格納された按分計算の結果及び第２のデータ部８に格納された運転データのうち集中コントローラ３１に対応するデータを集中コントローラ３１に出力する。この出力されたデータは、集中コントローラ３１の第３のデータ部２８及び第４のデータ部２９に格納される。
【００５３】  図４Ｂは、集中管理装置１側から集中コントローラ３１側へデータを出力して、データの復元をするフローチャートの一例である。図４Ａに示すように、ここでは、集中コントローラ３１を交換したときの動作について説明する。第２の制御部２４が第３のデータ部２８に格納されている第２の識別番号データを第１のデータ同期部７側に出力する（ステップＳ１１）。第１の制御部４の第１の識別番号判定手段４Ｄは、第１の識別番号データと第２の識別番号データとを比較する（ステップＳ１２）。ここでの説明では、図４Ａに示すように第１の識別番号データが親機の識別番号として００１が割り振られており、第２の識別番号データは親機のデータを有していない。両者のデータは一致しないため、ステップＳ１３に移行する。第２のデータ部８には、第２の識別番号データが格納される（ステップＳ１３）。第１の制御部４の第１のデータ同期部制御手段４Ｃは、第１のデータ同期部７を制御して、第１のデータ部９に格納されたデータ及び第２のデータ部８に格納されたデータを、集中コントローラ３１に出力する（ステップＳ１４）。集中コントローラ３１は、集中管理装置１から出力されたデータを第３のデータ部２８及び第４のデータ部２９に格納する（ステップＳ１５）。
【００５４】  図４Ｃは、集中コントローラ２０又は集中コントローラ３１側から集中管理装置１側へデータを出力して、データの復元をするフローチャートの一例である。図４Ｃでは、集中管理装置１を交換した場合を想定している。
【００５５】  第１の制御部４が第１のデータ部９に格納されている第１の識別番号データを第２のデータ同期部２７側に出力する（ステップＳ２１）。第２の制御部２４の第２の識別番号判定手段２４Ｄは、第１の識別番号データと第２の識別番号データとを比較する（ステップＳ２２）。ここで、親機側のデータである第１の識別番号データには、子機側の識別番号が割り振られていない。両者のデータは一致しないので、ステップＳ２３に移行する。第４のデータ部２９には、第１の識別番号データが格納される（ステップ２３）。第２の制御部２４の第２のデータ同期部制御手段２４Ｃは、第２のデータ同期部制御手段２４Ｃを制御し、第３のデータ部２８に格納されたデータ及び第４のデータ部２９に格納されたデータを、集中管理装置１に出力する（ステップＳ２４）。集中管理装置１は、集中コントローラ２０から出力されたデータを第１のデータ部９及び第２のデータ部８に格納する（ステップＳ２５）。
【００５６】［第１の専用通信部２を無効］  集中管理装置１は、二重化を実施しているとき及び按分計算を実施しているときには、第１の専用通信部２を通じた各集中コントローラの冷凍サイクル装置６０との通信を無効とするように構成されている。二重化の動作及び按分計算の動作は、集中管理装置１の各種回路にかかる負担が増大している。そこで、二重化の動作及び按分計算を実施しているときには、第１の制御部４の第１の専用通信部制御手段４Ａは、第１の専用通信部２と冷凍サイクル装置６０との通信が無効となるように、第１の専用通信部２を制御する。これにより、集中管理装置１は、より円滑に二重化の動作及び按分計算の動作を実施することができる。
【００５７】［外部操作端末８０について］  外部操作端末８０は、集中管理装置１及び各集中コントローラに通信自在に接続されているものである。外部操作端末８０は、たとえば、パーソナルコンピュータなどで構成することができる。集中管理装置１及び各集中コントローラは、外部操作端末８０の有するデータによって、集中管理装置１及び各集中コントローラのうちの少なくとも一方のデータが変更されたときは、二重化を実施する。これにより、第１のデータ部９のデータとバックアップ用のデータが格納される第４のデータ部２９のデータとが異なる期間、及び第３のデータ部２８のデータとバックアップ用のデータが格納される第２のデータ部８のデータとが異なる期間を短くすることができ、バックアップデータの信頼性を向上させることができる。
【００５８】［本実施の形態に係る空気調和システム１００の有する効果］  本実施の形態に係る空気調和システム１００は、集中管理装置１が第１のデータ部９及び各集中コントローラのバックアップ用の第２のデータ部８を有するとともに、各集中コントローラが第３のデータ部及び集中管理装置１のバックアップ用の第４のデータ部２９を有する。たとえば、集中管理装置１及び各集中コントローラのうちのいずれかを交換したとしても、新しく交換したものにデータを復元することができる。これにより、たとえば、空気調和システム１００が消費電力に基づいて課金をする態様のものである場合において、ユーザーに課金することができなくなって利便性が損なわれてしまうことを回避することができる。
【００５９】  なお、本実施の形態では、集中コントローラ２０及び集中コントローラ３１が集中管理装置１に接続されている態様について一例を示しているが、それに限定されるものではなく、集中コントローラが１台でもよいし、３台以上であってもよい。
【００６０】  本実施の形態では、按分計算部１０が消費電力データと冷媒流量データとに基づいて按分計算を実施する態様について説明したが、それに限定されるものではない。たとえば、冷媒流量データの代わりに、サーモＯＮ時間（室内機に冷媒を流している時間）のデータを用いることもできるし、室内機のファン運転時間のデータを用いることもできる。いずれのデータを用いるかについては、必要とする按分計算の精度に応じて決定することができる。
【００６１】  本実施の形態では、集中管理装置１に電力量取得部１１が存在する態様について一例を示しているが、それに限定されるものではなく、集中コントローラ２０に存在してもよいし、専用通信線上やＬＡＮ上に存在する消費電力計測機器が電力量を取得してもよい。この場合、専用通信部やＬＡＮを通じて電力量データを集中管理装置１に収集する。
【００６２】  本実施の形態では、室外機に消費電力計測計を接続し、室外機の消費電力を按分する態様について一例を示しているが、室内機に消費電力計測計を接続し、室内機の消費電力を按分してもよい。
【００６３】  本実施の形態では、室外機の消費電力量から待機電力量を引いた使用電力量を按分する態様について一例を示しているが、消費電力量を按分してもよいし、使用電力量と待機電力量を個別に按分してもよい。
【００６４】［変形例］  図５は、第２の制御部２４０がフラグ設定手段２４Ｆ及びフラグ判定手段２４Ｃ１を有する態様についての説明図である。各集中コントローラは、第３のデータ部２８に格納される運転データが修正されたときにフラグを立て、第３のデータ部２８に格納された運転データのうちフラグを立てた運転データを第２のデータ部８に出力するように構成されていてもよい。すなわち、各集中コントローラの第２の制御部２４０は、第３のデータ部２８に格納される運転データが修正されたときにフラグを立てるフラグ設定手段２４Ｆを有していてもよい。また、第２のデータ同期部制御手段２４Ｃが第３のデータ部２８に格納された運転データのうちフラグを立てた運転データを第２のデータ部に出力するフラグ判定手段２４Ｃ１を有していてもよい。フラグ設定手段２４Ｆ及びフラグ判定手段２４Ｃ１を有すると、データの二重化時に第３のデータ部２８に格納されたデータの全てを第２のデータ部８に転送することを回避することができ、データ転送量の増大を抑制することができる。
【００６５】  また、集中管理装置１についても、第１の制御部４が、フラグ設定手段２４Ｆ及びフラグ判定手段２４Ｃ１に対応する構成を有していてもよい。すなわち、第１の制御部４は、第１のデータ部９に格納される按分計算の結果などの運転データが修正されたときにフラグを立てるフラグ設定手段を有していてもよい。また、第１の制御部４の第１のデータ同期部制御手段４Ｃは、第１のデータ部９に格納された運転データのうちフラグを立てたデータを第４のデータ部２９に出力するフラグ判定手段を有していてもよい。
【符号の説明】
【００６６】  １  集中管理装置、２  第１の専用通信部、３  第１のＬＡＮ通信部、４  第１の制御部、４Ａ  第１の専用通信部制御手段、４Ｂ  第１のＬＡＮ通信部制御手段、４Ｃ  第１のデータ同期部制御手段、４Ｄ  第１の識別番号判定手段、４Ｅ  第１の表示部制御手段、４Ｆ  按分計算部制御手段、５  第１の操作部、６  第１の表示部、７  第１のデータ同期部、８  第２のデータ部、９  第１のデータ部、１０  按分計算部、１１  電力量取得部、２０  集中コントローラ、２１  第２の専用通信部、２２  第２の専用通信部、２３  第２のＬＡＮ通信部、２４  第２の制御部、２４Ａ  第２の通信部制御手段、２４Ｂ  第２のＬＡＮ通信部制御手段、２４Ｃ  第２のデータ同期部制御手段、２４Ｃ１  フラグ判定手段、２４Ｄ  第２の識別番号判定手段、２４Ｅ  第２の表示部制御手段、２４Ｆ  フラグ設定手段、２５  第２の操作部、２６  第２の表示部、２７  第２のデータ同期部、２８  第３のデータ部、２９  第４のデータ部、３１  集中コントローラ、５０  冷凍サイクル装置、５１Ａ  室外機、５１Ｂ  室外機、５２Ａ  室内機、５２Ｂ  室内機、６０  冷凍サイクル装置、６１Ａ  室外機、６１Ｂ  室外機、６２Ａ  室内機、６２Ｂ  室内機、７０Ａ  消費電力計測計、７０Ｂ  消費電力計測計、７１Ａ  消費電力計測計、７１Ｂ  消費電力計測計、８０  外部操作端末、１００  空気調和システム、２４０  第２の制御部。
【図１】
2016046986.tif 000003
【図２Ａ】
2016046986.tif 000004
【図２Ｂ】
2016046986.tif 000005
【図３Ａ】
2016046986.tif 000006
【図３Ｂ】
2016046986.tif 000007
【図３Ｃ】
2016046986.tif 000008
【図４Ａ】
2016046986.tif 000009
【図４Ｂ】
2016046986.tif 000010
【図４Ｃ】
2016046986.tif 000011
【図５】
2016046986.tif 000012
【手続補正書】
【提出日】平成28年10月14日(2016.10.14)
【手続補正１】
【補正対象書類名】明細書
【補正対象項目名】０００７
【補正方法】変更
【補正の内容】
【０００７】
本発明に係る空気調和システムは、冷凍サイクル装置を制御し、冷凍サイクル装置の消費電力データを受け付ける複数の集中コントローラと、少なくとも消費電力データを用いて按分計算を実施し、複数の前記集中コントローラを管理する集中管理装置とを備え、集中管理装置は、消費電力データ及び按分計算の結果を格納する第１のデータ部と、複数の集中コントローラのそれぞれから出力されるデータを格納する第２のデータ部とを有し、複数の集中コントローラは、冷凍サイクル装置の運転データを格納する第３のデータ部と、集中管理装置から出力される第１のデータ部のデータを格納する第４のデータ部とを有しており、集中管理装置は、第１のデータ部に格納され、集中管理装置と複数の集中コントローラとが対応するか否かの識別に利用される第１の識別番号データを有し、複数の集中コントローラのそれぞれは、第３のデータ部に格納され、第１の識別番号データと比較される第２の識別番号データを有するものである。
また、本発明に係る空気調和システムは、冷凍サイクル装置を制御し、冷凍サイクル装置の消費電力データを受け付ける複数の集中コントローラと、少なくとも消費電力データを用いて按分計算を実施し、複数の集中コントローラを管理する集中管理装置とを備え、集中管理装置は、消費電力データ及び按分計算の結果を格納する第１のデータ部と、複数の集中コントローラのそれぞれから出力されるデータを格納する第２のデータ部とを有し、複数の集中コントローラは、冷凍サイクル装置の運転データを格納する第３のデータ部と、集中管理装置から出力される前記第１のデータ部のデータを格納する第４のデータ部とを有しており、集中管理装置及び複数の集中コントローラのそれぞれは、第１のデータ部及び第３のデータ部に格納されるデータが修正されたときにフラグを立て、第１のデータ部及び第３のデータ部に格納されたデータのうちフラグを立てたデータを二重化するように構成されているものである。
【手続補正２】
【補正対象書類名】特許請求の範囲
【補正対象項目名】全文
【補正方法】変更
【補正の内容】
【特許請求の範囲】
【請求項１】
冷凍サイクル装置を制御し、前記冷凍サイクル装置の消費電力データを受け付ける複数の集中コントローラと、
少なくとも前記消費電力データを用いて按分計算を実施し、複数の前記集中コントローラを管理する集中管理装置とを備え、
前記集中管理装置は、
前記消費電力データ及び前記按分計算の結果を格納する第１のデータ部と、
複数の前記集中コントローラのそれぞれから出力されるデータを格納する第２のデータ部とを有し、
複数の前記集中コントローラは、
前記冷凍サイクル装置の運転データを格納する第３のデータ部と、
前記集中管理装置から出力される前記第１のデータ部のデータを格納する第４のデータ部とを有しており、
前記集中管理装置は、
前記第１のデータ部に格納され、前記集中管理装置と複数の前記集中コントローラとが対応するか否かの識別に利用される第１の識別番号データを有し、
複数の前記集中コントローラのそれぞれは、
前記第３のデータ部に格納され、前記第１の識別番号データと比較される第２の識別番号データを有する
空気調和システム。
【請求項２】
前記集中管理装置及び複数の前記集中コントローラのそれぞれは、
前記第３のデータ部に格納されたデータを前記第２のデータ部に出力し、前記第１のデータ部に格納されたデータを前記第４のデータ部に出力し、データの二重化をするように構成されている
請求項１に記載の空気調和システム。
【請求項３】
前記集中管理装置は、
前記冷凍サイクル装置を制御するのに利用される専用通信部を有し、
前記二重化を実施しているとき及び前記按分計算を実施しているときには、前記専用通信部を通じた通信が無効となるように構成されている
請求項２に記載の空気調和システム。
【請求項４】
前記集中管理装置及び複数の前記集中コントローラに通信自在に接続された外部操作端末をさらに備え、
前記集中管理装置及び複数の前記集中コントローラのそれぞれは、
前記外部操作端末の有するデータによって、前記集中管理装置及び複数の前記集中コントローラのそれぞれのうちの少なくとも一方のデータが変更されたときは、前記二重化を実施する
請求項２又は３に記載の空気調和システム。
【請求項５】
前記集中管理装置は、
前記第２の識別番号データが前記第１の識別番号データとは異なる前記集中コントローラに、前記第１のデータ部に格納されたデータ及び前記第２のデータ部に格納されたデータのうち前記集中コントローラに対応するデータを出力し、データの復元をするように構成されている
請求項１に記載の空気調和システム。
【請求項６】
複数の前記集中コントローラのそれぞれは
前記第１の識別番号データが前記第２の識別番号データとは異なる場合に、前記集中管理装置に、前記第３のデータ部に格納されたデータ及び前記第４のデータ部に格納されたデータを出力し、データの復元をするように構成されている
請求項１又は５に記載の空気調和システム。
【請求項７】
前記集中管理装置又は複数の前記集中コントローラのそれぞれを交換することで前記第１の識別番号データと前記第２の識別番号データとが異なる場合に、前記データの復元が実施されるように構成されている
請求項５又は６に記載の空気調和システム。
【請求項８】
前記集中管理装置は、
前記第１の識別番号データと複数の前記集中コントローラのそれぞれの前記第２の識別番号データとが一致するときに前記按分計算を実施するように構成されている
請求項１〜７のいずれか一項に記載の空気調和システム。
【請求項９】
前記集中管理装置及び複数の前記集中コントローラのそれぞれは、
前記第１のデータ部及び前記第３のデータ部に格納されるデータが修正されたときにフラグを立て、
前記第１のデータ部及び前記第３のデータ部に格納されたデータのうち前記フラグを立てたデータを二重化するように構成されている
請求項１〜８のいずれか一項に記載の空気調和システム。
【請求項１０】
冷凍サイクル装置を制御し、前記冷凍サイクル装置の消費電力データを受け付ける複数の集中コントローラと、
少なくとも前記消費電力データを用いて按分計算を実施し、複数の前記集中コントローラを管理する集中管理装置とを備え、
前記集中管理装置は、
前記消費電力データ及び前記按分計算の結果を格納する第１のデータ部と、
複数の前記集中コントローラのそれぞれから出力されるデータを格納する第２のデータ部とを有し、
複数の前記集中コントローラは、
前記冷凍サイクル装置の運転データを格納する第３のデータ部と、
前記集中管理装置から出力される前記第１のデータ部のデータを格納する第４のデータ部とを有しており、
前記集中管理装置及び複数の前記集中コントローラのそれぞれは、
前記第１のデータ部及び前記第３のデータ部に格納されるデータが修正されたときにフラグを立て、
前記第１のデータ部及び前記第３のデータ部に格納されたデータのうち前記フラグを立てたデータを二重化するように構成されている空気調和システム。
【国際調査報告】
2016046986.tif 000013
2016046986.tif 000014
2016046986.tif 000015
2016046986.tif 000016